(57)【特許請求の範囲】
【請求項１】
ストロー挿入孔を有する弾性部材でなる固定具本体と、この固定具本体に設けた前記ストローに接する舌片、及び容器の側面に接する係止片とで構成し、前記舌片でストローを弾性的に支持するとともに、この弾性的に支持されたストローと弾性部材で構成される前記係止片で、前記容器の側部を挟持することを特徴とするストロー固定具。
【請求項２】
上記の固定具本体に容器の開口上面に接する肩部を設ける構成とした請求項1に記載のストロー固定具。
【請求項３】
上記の固定具本体にストローに接する弾性の上片を設ける構成とした請求項1に記載のストロー固定具。
【発明の詳細な説明】
【０００１】
【発明の属する技術分野】
本発明は、ストロー固定具に関する。
【０００２】
【従来の技術】
従来、容器内の飲料水をストローを使って飲む場合には、ストローは一定位置に固定されていないため様々な問題が生ずる。例えば、ストローは固定されていないため、容器内を自由に動き、飲む場合に厄介である。また、ストローが口から外れずに、容器外に引き出されて飲料水をこぼしてしまい、テーブルや衣服等を汚してしまう等、実に厄介である。更に、ストローは軽いので、エアコン・クーラー・扇風機等の側や、屋外での使用は、風により動いたり飛んでいくことがあり問題がある。特に、ストローを使って飲料水を飲むことの多い人、つまり、身体障害者、老人、病人、子供等または、それらの人々を介護する人等にとっては大きな問題である。
【０００３】
前記した問題等の解消を目的とした先行技術を挙げると、次のような技術文献がある。▲１▼特開平10-151057号のストロー固定具の発明がある。この発明は、挟持部と対の係止脚とでなり、挟持部の弾力でストローを挟持し、係止脚を容器の外周面に添接係止する構成である。▲２▼登録実用新案公報第3040331号のストローホルダーがある。この考案は、コップの外表面に止着できる基板と、基板からコップ上面まで延出した腕板とからなる。▲３▼実開平6-7570号のストローストッパーの考案がある。この考案は、本体の足の部分にコップ止めを設け、コップ止めでコップの縁に本体を固定し、本体の背中の部分に設けたストロー差込み口から連設するストロー止めにより、ストローを固定する。▲４▼実開平3-120867号のストロー並びにストロー保持部材の考案がある。この考案は、ストローの外周に嵌着可能に成形されたリング材に挟着片を設けて成る構成である。▲５▼実開昭64-56765号のストローの飾りの考案がある。この考案は、ストローの一端に取付ける飾りである。
【０００４】
【発明が解決しようとする課題】
前記▲１▼は、挟持することはできるが、挟持する力が少し弱い。即ち、挟持部の弾性が弱く、弾性の係止脚があってもやや挟持が弱くずれ易い。前記▲２▼は、ストローを固定することはできるが、身体障害者、老人、病人、子供等が簡単に使用できず、特にストローを必要とする人々にとって非常に扱いにくく、また、コスト高となること等の問題がある。前記▲３▼及び▲５▼は、コップを飾ることができるが、ストローを使って飲料水を飲むには邪魔となり、また、コスト高となる等の問題がある。前記▲４▼は、簡単にコップに装着できるが、ストローが非常にずれ易く、簡単に外れてしまうため、飲料水をこぼしてしまい、テーブルや衣服等を汚してしまう等の問題がある。また、エアコン・クーラー・扇風機等の側の風の強い場所や、屋外ではストローが飛ばされる虞れがあるため、使用に適していない問題がある。
【０００５】
【課題を解決するための手段】
上記に鑑み、本発明は、ストローを舌片で止めることにより、当該ストローは固定具本体に弾性的に支持される。この弾性的に支持されたストローと、弾性を有する係止片で容器の側部を挟持することにより、ストローが容器外に引き出されること、またはその際に飲料水がこぼれて、テーブルや衣服等を汚すことを防止し、または風によってストローが飛ばされるのを防止する。また、簡単にストローを固定できるので、身体障害者、老人、病人、子供等でも簡易に使用できる特徴を有する。
請求項1は、ストロー挿入孔を有する弾性部材でなる固定具本体と、この固定具本体に設けたストローに接する舌片、及び容器の側面に接する係止片とで構成し、舌片でストローを弾性的に支持するとともに、この弾性的に支持されたストローと弾性部材で構成される係止片で、容器の側部を挟持することを特徴とするストロー固定具である。
【０００６】
本発明は、ストローの確実な固定ができ、ストロー固定具の容器内への落下を防止する特徴を有する。
請求項2は、固定具本体に容器の開口上面に接する肩部を設ける構成としたストロー固定具である。
【０００７】
本発明は、ストローの確実な固定ができ、かつストローを動かし易い特徴を有する。
請求項3は、固定具本体にストローに接する弾性の上片を設ける構成としたストロー固定具である。
【０００８】
【発明の実施の形態】
本発明では、弾性部材でなる係止片で容器の側面を押さえて、弾性部材でなる舌片でストローを挟持してストローを固定する。ストローを固定する位置によって、ストローの長さや向きを変えることができる。
【０００９】
ストローが容器に固定されるので、口元から逃げないこと、飲料を飲んだ時にストローが唇、舌に付かないこと、風によりストローが動かないこと等の特徴がある。ストローが唇、舌に付かないことによって、飲料をこぼすこともなく、よって机や衣服等を汚すこともない。また、風によりストローが動かないことにより、特に、クーラー、エアコン、扇風機等の風を直接受ける場所、または屋外での使用に適している。特に、飲む時にストローを使用する頻度の高い身体障害者、老人、病人、子供等に有益である。
【００１０】
【実施例】
以下、本発明の実施例を図面に基づいて説明する。
【００１１】
1は、本発明のストロー固定具本体で、係止片2と舌片3で構成する。ストロー固定具本体1は弾性部材でなる。ストロー固定具本体1は、弾性部材であるので、ストローAを押し潰したりストローAの口を狭めたりする虞はない。係止片2は、弾性部材で構成されており、容器Bの側面に係止片2を接するようにし、舌片3に弾性的に支持されたストローAとで容器Bを挟持して、容器Bとストロー固定具本体1が簡単に外れないようにしている。また、舌片3は、ストローAを弾性的に支持し、ストローAと、ストロー固定具本体1との一体化を図る。上記のようにして、ストロー固定具本体1の位置及びストローAの容器Bへの挿入の長さが決定される。当然、ストロー固定具本体1の位置及びストローAの長さは図面のように限定されず、使用者の飲み易い位置及び長さにすることは可能であり、ストロー固定具本体1を自由に移動させることも可能である。
【００１２】
図3は、本発明の他の一例を表す実施例で、係止片2の下部に切欠部4が構成されている。切欠部4は対の係止片端部41の間に構成されている。また、5は肩部を表している。肩部5は、容器Bの開口上面に接しており、ストローAに容器Bを固定するとともに、ストロー固定具本体1が容器B内に落下することを防止している。また、7は上片を表している。上片7は弾性であり、ストローAに接することによって、ストローAの固定をより確実なものにしている。
【００１３】
図4は、本発明の他の一例を表す実施例で、ストローAの横ずれを防止するため、上片7上に横ずれ防止片71を設けてある。また、42、43は折返し部を表しており、折返し部42、43によってストローAと容器Bのより確実な固定を図ることができる。
【００１４】
ストロー挿入孔6は、ストローAの径とほぼ均等である。また、ストロー挿入孔6の径は若干の大小の変更も可能である。また、ストロー挿入孔6の横幅を広くすることによってストローAを挿入し易くすることも可能である。
【００１５】
【発明の効果】
本発明は、ストロー挿入孔を有する弾性部材でなる固定具本体と、この固定具本体に設けたストローに接する舌片、及び容器の側面に接する係止片とで構成し、舌片でストローを弾性的に支持するとともに、この弾性的に支持されたストローと弾性部材で構成される係止片で、容器の側部を挟持することを特徴とするストロー固定具である。従って、ストローを容器に確実かつ簡易に取付けられること、固定具により固定されているので、移送可能となること、また、ストローが容器に固定されるので、口元から逃げないこと、好きな姿勢で飲料を飲むことができること等の特徴がある。
【００１６】
また、飲料を飲んだ時にストローが唇、舌に付かないことから、飲料をこぼして机や衣服を汚さない特徴がある。特に、クーラー、エアコン、扇風機等の風を直接受ける場所、または屋外での使用に効果がある。
【００１７】
また、本発明は、固定具本体に容器の開口上面に接する肩部、またはストローに接する弾性の上片を設ける構成としたストロー固定具である。従って、ストローの確実な固定ができること、ストローを動かし易いこと、ストローの容器内への落下を防止すること等の特徴を有する。
【図面の簡単な説明】
【図１】本発明の実際の実施例を表す斜視図である。
【図２】本発明を表す斜視図である。
【図３】本発明の他の一例を表す斜視図である。
【図４】本発明の他の一例を表す斜視図である。
【図５】本発明の他の一例を表す斜視図である。
【図６】本発明の他の一例を表す斜視図である。
【図７】本発明の他の一例を表す斜視図である。
【図８】本発明の他の一例を表す斜視図である。
【図９】本発明の他の一例を表す斜視図である。
【図１０】本発明の実際の実施例を表す拡大断面図である。
【図１１】本発明の上面図である。
【符号の説明】
1      ストロー固定具本体
2      係止片
3      舌片
4      切欠部
41     係止片端部
42     折返し部
43     折返し部
5      肩部
6      ストロー挿入孔
7      上片
71     横ずれ防止片
A      ストロー
B      容器
【図１】
0004313900.tif 000002
【図２】
0004313900.tif 000003
【図３】
0004313900.tif 000004
【図４】
0004313900.tif 000005
【図５】
0004313900.tif 000006
【図６】
0004313900.tif 000007
【図７】
0004313900.tif 000008
【図８】
0004313900.tif 000009
【図９】
0004313900.tif 000010
【図１０】
0004313900.tif 000011
【図１１】
0004313900.tif 000012